(57)【要約】  ユーザ機器が、ユーザ機器ＩＤおよび支援情報を含むネットワークスライス要求を基地局に送信するステップと、ユーザ機器が、基地局から、ネットワークスライス要求がサポートされているかどうかを示し、支援情報に応答して生成されるネットワークスライス応答を受信するステップと、を含む無線通信方法が提供される。
2020511863.tif 000002
【特許請求の範囲】
【請求項１】
ユーザ機器ＩＤおよび支援情報を含むネットワークスライス要求をユーザ機器により第１の基地局に送信するステップと、
前記ネットワークスライス要求がサポートされているかどうかを示し、前記支援情報に応答して生成されるネットワークスライス応答を、前記ユーザ機器により前記第１の基地局から受信するステップと、を含む無線通信方法。
【請求項２】
前記ネットワークスライス要求は、無線リソース制御メッセージまたはシステム情報要求メッセージを介して、前記ユーザ機器によって前記第１の基地局に送信される、請求項１に記載の無線通信方法。
【請求項３】
前記支援情報は、単一のネットワークスライス識別、ネットワークスライスタイプ、およびネットワークスライス要件のうちの少なくとも１つを含む、請求項１に記載の無線通信方法。
【請求項４】
前記ネットワークスライス応答が、前記ネットワークスライス要求がサポートされていることを示す場合、前記ユーザ機器と前記第１の基地局との間に無線リソース制御接続を確立するステップをさらに含む、請求項１に記載の無線通信方法。
【請求項５】
前記ネットワークスライス応答が前記ネットワークスライス要求がサポートされていないことを示す場合、前記ネットワークスライス要求をサポートする第２の基地局と接続するために、前記ユーザ機器がモビリティ管理処理を実行するステップをさらに含む、請求項１に記載の無線通信方法。
【請求項６】
コンピュータ実行可能命令を格納する少なくとも１つの非一時的コンピュータ可読媒体と、前記少なくとも１つの非一時的コンピュータ可読媒体に結合され、コンピュータ実行可能命令を実行して以下を行うように構成された少なくとも１つのプロセッサと、を含むユーザ機器：
ユーザ機器ＩＤおよび支援情報を含むネットワークスライス要求を第１の基地局に送信し；
前記ネットワークスライス要求がサポートされているかどうかを示し、前記支援情報に応答して生成されるネットワークスライス応答を前記第１の基地局から受信する。
【請求項７】
前記ネットワークスライス要求は、無線リソース制御メッセージまたはシステム情報要求メッセージを介して、前記ユーザ機器によって前記第１の基地局に送信される、請求項６に記載のユーザ機器。
【請求項８】
前記支援情報は、単一のネットワークスライス識別、ネットワークスライスタイプ、およびネットワークスライス要件のうちの少なくとも１つを含む、請求項６に記載のユーザ機器。
【請求項９】
前記少なくとも１つのプロセッサは、前記ネットワークスライス応答が、前記ネットワークスライス要求がサポートされていることを示す場合、前記第１の基地局との無線リソース制御接続を確立するようにさらに構成される、請求項６に記載のユーザ機器。
【請求項１０】
前記少なくとも１つのプロセッサは、前記ネットワークスライス応答が、前記ネットワークスライス要求がサポートされていないことを示す場合、前記ネットワークスライス要求をサポートする第２の基地局と接続するために、モビリティ管理処理を実行するようにさらに構成される、請求項６に記載のユーザ機器。
【請求項１１】
ユーザ機器から、ユーザ機器ＩＤおよび支援情報を含むネットワークスライス要求を第１の基地局により受信するステップと、
前記第１の基地局により、前記支援情報に応答して、ネットワークスライス応答を生成するステップと、
前記ネットワークスライス要求がサポートされているかどうかを示すネットワークスライス応答を前記第１の基地局によりユーザ機器に送信するステップと、を含む無線通信方法。
【請求項１２】
前記ネットワークスライス応答は、無線リソース制御メッセージまたはシステム情報を介して前記第１の基地局によって送信される、請求項１１に記載の無線通信方法。
【請求項１３】
前記支援情報は、単一のネットワークスライス識別、ネットワークスライスタイプ、およびネットワークスライス要件のうちの少なくとも１つを含む、請求項１１に記載の無線通信方法。
【請求項１４】
前記ネットワークスライス応答が、前記ネットワークスライス要求がサポートされていることを示す場合、前記ユーザ機器と前記第１の基地局との間に無線リソース制御接続を確立するステップをさらに含む、請求項１１に記載の無線通信方法。
【請求項１５】
前記ネットワークスライス応答が、前記ネットワークスライス要求がサポートされていないことを示す場合、前記支援情報に応答して、前記ネットワークスライス要求をサポートする第２の基地局を前記第１の基地局により選択するステップと、
前記第１の基地局により、前記第２の基地局と接続するためにモビリティ管理処理を実行するステップと、をさらに含む、請求項１１に記載の無線通信方法。
【請求項１６】
前記第１の基地局により、前記第１の基地局と他の基地局との間で、前記支援情報を含む制御信号を交換するステップを、さらに含む請求項１５に記載の無線通信方法。
【請求項１７】
前記制御信号は、前記他の基地局のビーム情報を含む、請求項１６に記載の無線通信方法。
【請求項１８】
命令を実行して、
ユーザ機器からユーザ機器ＩＤおよび支援情報を含むネットワークスライス要求を受信し、
前記支援情報に応答してネットワークスライス応答を生成し、
前記ネットワークスライス要求がサポートされているかどうかを示す前記ネットワークスライス応答を前記ユーザ機器に送信するように構成されるプロセッサを備える基地局。
【請求項１９】
前記ネットワークスライス応答は、無線リソース制御メッセージまたはシステム情報を介して送信される、請求項１８に記載の基地局。
【請求項２０】
前記支援情報は、単一のネットワークスライス識別、ネットワークスライスタイプ、およびネットワークスライス要件のうちの少なくとも１つを含む、請求項１８に記載の基地局。
【請求項２１】
前記プロセッサは、前記ネットワークスライス応答が、前記ネットワークスライス要求がサポートされていることを示す場合、前記ユーザ機器と無線リソース制御接続を確立するようにさらに構成される、請求項１８に記載の基地局。
【請求項２２】
前記プロセッサは、さらに、
前記ネットワークスライス応答が、前記ネットワークスライス要求がサポートされていないことを示す場合、前記支援情報に応答して、前記ネットワークスライス要求をサポートする第２の基地局を選択し、
前記第２の基地局と接続するためにモビリティ管理処理を実行するように構成される、請求項１８に記載の基地局。
【請求項２３】
前記プロセッサは、さらに、前記支援情報を含む制御信号を他の基地局と交換するように構成される請求項２２に記載の基地局。
【請求項２４】
前記制御信号は、前記他の基地局のビーム情報を含む、請求項２３に記載の基地局。
【発明の詳細な説明】
【関連出願の相互参照】
【０００１】
本出願は、平成２９年３月２９日に出願された「ＳＥＲＶＩＣＥ−ＤＲＩＶＥＮ  ＭＯＢＩＬＩＴＹ  ＭＡＮＡＧＥＭＥＮ  ＦＯＲＴ  ＬＴＥ−ＮＲ  ＴＩＧＨＴ  ＩＮＴＥＲＷＯＲＫＩＮＧ」と題する米国仮出願第６２／４７８，１３３号（代理人整理番号ＵＳ６２０７０）（以下、「ＵＳ６２０７０出願」と呼ぶ）の利益及び優先権を主張する。ＵＳ６２０７０出願の開示は、参照により本開示に完全に組み込まれる。
【技術分野】
【０００２】
本開示は、一般に、無線通信方法に関し、より詳細には、ネットワークスライスのための無線通信方法およびシステムに関する。
【背景技術】
【０００３】
現在、ＥＰＣ（Ｅｖｏｌｖｅｄ  Ｐａｃｋｅｔ  Ｃｏｒｅ）に接続するＬＴＥｅＮＢは、ネットワークスライスをサポートすることができない。すなわち、ＬＴＥｅＮＢは、サービス区分を有さず、ネットワークスライス特有のメッセージを読み取ることができない。さらに、ＮＲｇＮＢおよびｅＬＴＥｅＮＢは、それぞれ独自のネットワークスライス機能を有するが、ＮＲｇＮＢおよびｅＬＴＥｅＮＢは、すべてのサービスをサポートする訳ではない。ＬＴＥ−ＮＲタイトインターワーキングおよびネットワークスライスは、５Ｇ  ＮＲアーキテクチャの重要な特徴であるが、ＬＴＥ−ＮＲタイトインターワーキングデプロイメントにおけるすべての無線アクセス技術（ＲＡＴ）がネットワークスライスをサポートするわけではない。
【０００４】
したがって、ネットワークスライスは、スタンドアロンの場合および非スタンドアロンの場合にサポートされ得ることが望ましい。非スタンドアロンの場合、アンカーノードとして働き、ＥＰＣに接続されたＬＴＥｅＮＢが存在し得る。また、アンカーノードまたはセカンダリノードのいずれかとして働くＮＲｇＮＢ／セルは、スライシングのＲＡＮ部分（例えば、複数の数値／送信時間間隔（ＴＴＩ）長を介するネットワークスライスのＲＡＮ部分、ネットワークスライスのＲＡＮ部分の構成）をサポートできることが望ましい。
【発明の概要】
【０００５】
本開示の一態様では、無線通信方法が提供される。無線通信方法は、以下のステップを含む。ユーザ機器（ＵＥ）は、ネットワークスライス要求を基地局に送信する。ネットワークスライス要求は、ＵＥのＩＤおよび支援情報を含む。ＵＥは、基地局からネットワークスライス応答を受信する。ネットワークスライス応答は、ネットワークスライス要求がサポートされているかどうかを示す。ネットワークスライス応答は、ネットワークスライス選択のための支援情報に応答して生成される。
【０００６】
本開示の別の態様では、ユーザ機器（ＵＥ）が提供される。ＵＥは、少なくとも１つの非一時的コンピュータ可読媒体と、少なくとも１つのプロセッサとを含む。非一時的コンピュータ可読媒体は、その上に具現化されたコンピュータ実行可能命令を有する。プロセッサは、少なくとも１つの非一時的コンピュータ可読媒体に結合し、以下のコンピュータ実行可能命令を実行するように構成される。ネットワークスライス要求は、第１の基地局に送信される。ネットワークスライス要求は、ＵＥのＩＤおよび支援情報を含む。ネットワークスライス応答が基地局から受信される。ネットワークスライス応答は、ネットワークスライス要求がサポートされているかどうかを示す。ネットワークスライス応答は、ネットワークスライス選択のための支援情報に応答して生成される。
【０００７】
本開示のさらに別の態様では、無線通信方法が提供される。無線通信方法は、以下のステップを含む。基地局は、ユーザ機器（ＵＥ）からネットワークスライス要求を受信する。ネットワークスライス要求は、ＵＥのＩＤおよび支援情報を含む。基地局は、支援情報に応答してネットワークスライス応答を生成する。基地局は、ネットワークスライス応答をＵＥに送信する。ネットワークスライス応答は、ネットワークスライス要求がサポートされているかどうかを示す。
【０００８】
本開示のさらに別の態様では、基地局が提供される。基地局は、プロセッサを含む。プロセッサは、以下の命令を実行するように構成される。基地局は、ユーザ機器（ＵＥ）からネットワークスライス要求を受信する。ネットワークスライス要求は、ＵＥのＩＤおよび支援情報を含む。基地局は、支援情報に応答してネットワークスライス応答を生成する。基地局は、ネットワークスライス応答をＵＥに送信する。ネットワークスライス応答は、ネットワークスライス要求がサポートされているかどうかを示す。
【図面の簡単な説明】
【０００９】
【図１】ＬＴＥ−ＮＲタイトインターワーキングのための制御プレーンアーキテクチャを示す図である。
【図２】本開示の例示的な実施形態による、ネットワークスライシングのための無線通信方法を示す図である。
【図３】本開示の別の例示的な実施形態による、ＲＲＣメッセージを介したネットワークスライスのための無線通信方法を示す図である。
【図４】本開示のさらに別の例示的な実施による、ハンドオーバ処理を用いたネットワークスライシングのための無線通信方法を示す図である。
【図５】本開示の例示的な実施形態による、モビリティ管理処理を用いたネットワークスライシングのための無線通信方法を示す図である。
【図６】本開示の例示的な実施形態による、ＲＲＣメッセージを介したネットワークスライスのための無線通信方法を示す図である。
【図７】本開示の例示的な実施形態による、要求されたネットワークスライスサービスがサポートされるときのネットワークスライシングのための無線通信方法を示す図である。
【図８】本開示の例示的な実施形態による、システム情報を介したネットワークスライスのための無線通信方法を示す図である。
【図９】本開示の例示的な実施形態による、システム情報要求を介したネットワークスライシングのための無線通信方法を示す図である。
【図１０】本開示の例示的な実施形態による、ネットワークスライスに応答するセル（再）選択処理のフローチャートを示す図である。
【図１１】本開示の様々な態様による、無線通信のための装置を示すブロック図である。
【発明を実施するための形態】
【００１０】
以下の説明は、本開示における例示的な実施形態に関連する具体的なの情報を含む。本開示における図面およびそれらの添付の詳細な説明は、単に例示的な実施形態に向けられている。しかし、本開示は、これらの例示的な実施形態のみに限定されるものではない。本開示の他の変形および実施形態は、当業者には想起されるであろう。特に断らない限り、図中の同様のまたは対応する要素は、同様のまたは対応する参照番号によって示されてもよい。さらに、本開示における図面および例示は、概して、一定の縮尺ではなく、実際の相対的な寸法に対応することを意図していない。
【００１１】
本明細書では、「一実施形態では」または「いくつかの実施形態では」という語句を使用し、これらの語句はそれぞれ、同じまたは異なる実施形態のうちの１つまたは複数を指している。「結合された(coupled)」という用語は、直接的であろうと、介在する構成要素を介して間接的であろうと、「接続された」ということを定義し、必ずしも物理的接続に限定されない。「〜を備える（comprising）」という用語が使用される場合、”〜を含む（include）が、必ずしもこれに限定されない”ことを意味し、特に、そのように記載された組み合わせ、グループ、シリーズ、および同等物におけるオープンエンドの包含またはメンバーシップを示す。
【００１２】
「および／または」という用語は、列挙された組み合わせの項目のうちの１つまたは複数の任意の組合せおよびすべての組合せを含むことに留意されたい。第１（first）、第２（second）、第３（third）などの用語は、様々な要素、構成要素、領域、部分および／またはセクションを説明するために本明細書で使用され得るが、これらの要素、構成要素、領域、部分および／またはセクションは、これらの用語によって限定されるべきではないことも理解されよう。これらの用語は、１つの要素、構成要素、領域、部分またはセクションを、別の要素、構成要素、領域、層またはセクションと区別するためにのみ使用される。したがって、以下で論じる第１の要素、構成要素、領域、部分、またはセクションは、本開示の教示から逸脱することなく、第２の要素、構成要素、領域、層、またはセクションと呼ぶことができる。
【００１３】
本開示では、ＵＥは、移動局、移動端末または装置、ユーザ通信無線端末を含むことができるが、これらに限定されないことに留意されたい。例えば、ＵＥは、携帯電話、タブレット、ウェアラブルデバイス、センサ、または無線通信機能を有する携帯情報端末（ＰＤＡ）を含むが、これらに限定されない、ポータブル無線機器であってもよい。ＵＥは、無線アクセスネットワーク内の１つまたは複数のセルに対して、無線で信号を受信し、送信するように構成される。
【００１４】
基地局は、ユニバーサルモバイル通信システム（ＵＭＴＳ）におけるようなノードＢ（ＮＢ）、ＬＴＥ−Ａにおけるような進化ノードＢ（ｅＮＢ）、ＵＭＴＳにおけるような無線ネットワークコントローラ（ＲＮＣ）、ＧＳＭ（登録商標、移動通信のためのグローバルシステム、）／ＧＥＲＡＮ（ＧＳＭ  ＥＤＧＥ  Ｒａｄｉｏ  Ａｃｃｅｓｓ  Ｎｅｔｗｏｒｋ）におけるような基地局コントローラ（ＢＳＣ）、５Ｇコアネットワーク（５ＧＣ）に関連する進化ユニバーサル地上無線アクセス（Ｅ−ＵＴＲＡ）基地局におけるようなｎｇ−ｅＮＢ、５Ｇアクセスネットワーク（５Ｇ−ＡＮ）におけるような次世代ノードＢ（ｇＮＢ）、およびセル内の無線通信および無線リソースを管理することができるその他の装置を含むが、これらに限定されない。基地局は、ネットワークへの無線インターフェースを介して１つまたは複数のＵＥにサービスを提供するように接続することができる。
【００１５】
本開示では、ＥＰＣはネットワークスライスをサポートせず、ＮＧＣ（例えば、５Ｇ−ＣＮおよび５ＧＣ）はネットワークスライスをサポートすると仮定する。ＣＮが５Ｇ−ＣＮである場合、ＣＮは、ネットワークスライスの記憶および選択をサポートすることができる。例えば、５Ｇ−ＣＮは、登録された各ＮＲセル及びｅＬＴＥセルのネットワークスライス情報を格納する。５Ｇ−ＣＮは、また、ＵＥのネットワークスライス要求のために適切なＮＲセルおよびｅＬＴＥセルを選択しうる。しかし、ｅＬＴＥｅＮＢ（例えば、ｎｇ−ｅＮＢ）およびＮＲｇＮＢは、コアネットワークによって定義されたすべてのネットワークスライス／サービスをサポートしなくてもよい。ＮＲｇＮＢ／セルは、無線リソース制御（ＲＲＣ）層からサービスデータ適応プロトコル（ＳＤＡＰ）層を介して物理（ＰＨＹ）層に（例えば、異なる数値／ＴＴＩ長を介して）スライシングするＲＡＮ部分をサポートすることができる。
【００１６】
各セルによってサポートされるネットワークスライスの機能は異なり得ることに留意されたい。しかし、ｅＬＴＥｅＮＢおよび／またはＮＲｇＮＢは、コアネットワークによって定義されるすべてのネットワークスライス／サービスをサポートする機能を有さなくてもよい。これらのネットワークエンティティの機能を表１に要約する。ＲＡＴによってサポートされるネットワークスライス／サービスは、ＣＮによってサポートされるネットワークスライスのサブセットであってもよいことに留意されたい。
【００１７】
【表１】
2020511863.tif 000003
本開示のいくつかの実装形態では、ＮＲｇＮＢおよびｅＬＴＥｅＮＢは、ネットワークスライス関連ＲＲＣメッセージを生成、読み取り、送信、受信、または転送することができると仮定する。ＮＲｇＮＢは、異なるネットワークスライス／サービスをサポートするために、スライシングのＲＡＮ部分（例えば、複数の数値／ＴＴＩ長を介したネットワークスライスのＲＡＮ部分、ネットワークスライスのＲＡＮ部分の構成）をさらに提供することができる。
【００１８】
ＵＥが、ＵＥの特定のネットワークスライスおよび／またはサービスをサポートする適切なノードに接続するための支援を必要とする場合がいくつかある。例えば、ＵＥが初期アクセスを実行する場合、ＵＥは、そのネットワークスライス／サービス要件をサポートすることができないマスターノードに接続する場合がある。別の例では、ＵＥが初期アクセスを実行し、その初期ネットワークスライスをサポートする適切なマスターノードに接続した後でも、ＵＥが、実行中のアプリケーションに起因して、初期ネットワークスライスを別の異なるネットワークスライスに変更／更新するときに、マスターノードが不適切になる可能性がある。別の場合では、ＵＥが、現在のセカンダリノードＮＲｇＮＢが特定のネットワークスライスを提供することができないＬＴＥ−ＮＲタイトインターワーキングの下で特定のネットワークスライスを必要とする場合、ＵＥは、ネットワークスライスをサポートするために別の適切なセカンダリノードに切り替えることができる。本開示の例示的な実施形態では、ＵＥの特定のネットワークスライスおよび／またはサービスをサポートする適切なノードにＵＥを接続することを保証するための様々な方法／メカニズムを説明する。適切なノードは、ＮＲｇＮＢ／セルおよびｎｇ−ｅＮＢ／セルなど、ＵＥからの要求されたネットワークスライス／サービスをサポートするのに適したノードである。
【００１９】
さらに、ＵＥが、多くの配備シナリオを含むＬＴＥ−ＮＲインターワーキングで構成される場合、ＵＥを、ＵＥの所望のネットワークスライス／サービスをサポートすることができる適切な／相応しいＲＡＴに確実に接続することが重要である。例えば、ＵＥは、セル選択／再選択の間、そのサービスをサポートすることができる適切なＲＡＴにキャンプするように提案されることができる。例えば、ＵＥがＲＲＣ＿ＣＯＮＮＥＣＴＥＤ状態にあり、新しいネットワークスライス／サービスを必要とする場合、ＵＥは、ＵＥの新しいネットワークスライス／サービス要件をさらにサポートすることができる適切なＲＡＴに接続することを提案され得る。
【００２０】
本開示におけるセルＩＤおよび基地局ＩＤは、ＮＲｇＮＢ  ＩＤ、ＮＲセルＩＤ、ｎｇ−ｅＮＢ  ＩＤ、ｅＬＴＥセルＩＤ、ＬＴＥｅＮＢＩＤ、ＬＴＥセルＩＤ、グローバルユニーク基地局ＩＤ（例えば、ＬＴＥのためのＰＬＭＮ  ＩＤ＋ｅＮＢ  ＩＤ）、ＰＬＭＮにおけるユニーク基地局ＩＤ（例えば、ＬＴＥのためのｅＮＢ  ＩＤ）、ＮＲ／Ｅ−ＵＴＲＡＮセル識別（例えば、ＬＴＥのためのｅＮＢ  ＩＤ＋セルＩＤ）、グローバルＮＲ／Ｅ−ＵＴＲＡＮセル識別（例えば、ＬＴＥのためのＰＬＭＮ  ＩＤ＋ｅＮＢ  ＩＤ＋セルＩＤ）、および／またはＰＳＳ（一次同期信号）および／またはＳＳＳ（二次同期信号）から導出されるＰＣＩ（物理セル識別子）を言う。
【００２１】
さらに、いくつかの実施形態では、基地局は、ＬＴＥ  ＥＰＣのモビリティ管理エンティティ（ＭＭＥ）および５ＧＣのアクセスおよびモビリティ管理機能（ＡＭＦ）などのコアネットワーク機能のいくつかを、セルラーネットワークを実施する中で統合してもよい。いくつかの実施形態では、基地局、ノード、ｅＮＢ、またはｇＮＢは、コアネットワーク機能を統合しても統合しなくてもよいＲＡＴを指すことがある。
【００２２】
図１は、ＬＴＥ−ＮＲタイトインターワーキングのための制御プレーンアーキテクチャを示す図である。図１に示されるように、ユーザ機器（ＵＥ）は、マスターノードおよびセカンダリノードに接続され、マスターノードおよびセカンダリノードは、それぞれ独自のＲＲＣエンティティを有する。ＵＥ１０１（ＵＥ１０２）は、マスタＬＴＥ  ｅＮＢ  １０３（ＮＲ  ｇＮＢ  １０４）のＲＲＣ状態に従う単一のＲＲＣ状態マシンを有する。各ノードは、アブストラクトシンタックス表記１（ＡＳＮ．１）を使用して、ＲＲＣパケットデータユニット（ＰＤＵ）およびノード間ＰＤＵを生成する。セカンダリＮＲ  ｇＮＢ  １０５（ＬＴＥ  ｅＮＢ  １０６）によって生成されたＲＲＣ  ＰＤＵおよびノード間ＰＤＵは、マスタＬＴＥｅＮＢ１０３（ＮＲｇＮＢ１０４）によって生成されたＲＲＣ  ＰＤＵに埋め込まれ、マスタＬＴＥｅＮＢ１０３（ＮＲｇＮＢ１０４）を介してＵＥ１０１（ＵＥ１０２）に送信され得る。
【００２３】
図２は、本開示の例示的な実施形態による、ネットワークスライスのための無線通信方法を示す図である。図２に示すように、無線通信システム２００は、ＵＥ２０１および基地局２０３を備える。ステップ２６０において、ＵＥ２０１は、ネットワークスライス要求を基地局２０３に送信する。ネットワークスライス要求は、ＵＥ  ＩＤおよび支援情報を含む。ステップ２６４において、基地局２０３は、支援情報に応答してネットワークスライス応答を生成する。ネットワークスライス応答は、ネットワークスライス要求が基地局２０３によってサポートされているかどうかを示す。ステップ２６２において、ＵＥは、基地局２０３からネットワークスライス応答を受信する。
【００２４】
一実施形態では、ネットワークスライス要求は、基地局２０３から特定のネットワークスライスサービスまたはネットワークスライス構成を要求するために、ＵＥ２０１から送信される。ネットワークスライス要求は、ＵＥのＩＤ（例えば、ＵＥ  ＩＤ）と、ネットワークスライス選択のための支援情報とを含む。ネットワークスライス選択のための支援情報は、ネットワークスライスアイデンティティ、ネットワークスライスタイプ、またはネットワークスライス要件を含む。ＵＥ  ＩＤは、ＵＥのアイデンティティを明らかにするために使用され得る。
【００２５】
ネットワークスライス応答が、ネットワークスライス要求をサポートすることができることを示す場合、要求されたネットワークスライスをＵＥ２０１に直接提供するために、ＵＥ２０１と基地局２０３との間にＲＲＣ接続を確立することができる。ネットワークスライス応答が、ネットワークスライス要求をサポートすることができないことを示す場合、ネットワークスライス要求をサポートし、対応するネットワークスライスサービスを提供することができる適切なノードに結合するために、モビリティ管理処理を含むことができる。
【００２６】
いくつかの実施形態では、ＵＥ  ＩＤは、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）、Ｔｅｍｐｏｒａｒｙ  Ｃ−ＲＮＴＩ、またはＴｅｍｐ  ＩＤであってもよい。いくつかの実施形態では、ＵＥ  ＩＤは、ＲＲＣ＿ＩＮＡＣＴＩＶＥにおけるＵＥのためのＩ−ＲＮＴＩ（Ｉｎａｃｔｉｖｅ  Ｒａｄｉｏ  Ｎｅｔｗｏｒｋ  Ｔｅｍｐｏｒａｒｙ  Ｉｄｅｎｔｉｔｙ）であってもよい。いくつかの実施形態では、ＵＥ  ＩＤは、光接続された状態にあるＵＥのためのＲＲＣ再開ＩＤであってもよい。
【００２７】
図３は、本開示の別の例示的な実施形態による、ＲＲＣメッセージを介したネットワークスライスのための無線通信方法を示す図である。図３に示すように、無線通信システム３００は、ＵＥ３０１および基地局３０３を含む。一実施形態では、基地局３０３は、ＬＴＥｅＮＢである。ステップ３６２において、ＵＥ３０１は、ＲＲＣメッセージ３６２を介してネットワークスライス要求を基地局（例えば、ＬＴＥｅＮＢ）３０３に送信する。ネットワークスライス要求は、ＵＥ  ＩＤとネットワークスライス選択のための支援情報を含む。
【００２８】
ネットワークスライス選択のための支援情報は、ネットワークスライス識別、ネットワークスライスタイプ、またはネットワークスライス要件を含む。ネットワークスライス識別は、正確なネットワークスライスおよび要求されるサービスを直接識別するために使用してもよい。一実施形態では、ネットワークスライス識別は、スライスＩＤを含む。別の実施形態では、ネットワークスライス識別は、ネットワークスライス選択支援情報（ＮＳＳＡＩ）または単一ネットワークスライス選択支援情報（Ｓ−ＮＳＳＡＩ）を含む。ネットワークスライスタイプは、要求されたネットワークスライスのタイプを識別する。一実施形態では、ネットワークスライスタイプは、ネットワークスライスタイプＩＤ（ＮｅＳ−ＩＤ）を含む。別の実施形態では、ネットワークスライスタイプは、スライスビットマップを含む。例えば、スライスビットマップは、対応するネットワークスライス／サービスがサポートされることを意味するビット「１」と、対応するネットワークスライス／サービスがサポートされないことを意味するビット「０」とを有する、予め構成されたＮビット（例えば、Ｎ個のサポート可能なネットワークスライス／サービス）を含んでもよい。一実施形態では、ネットワークスライス要件は、要求されたネットワークスライスの構成を示すためのネットワークスライス指示（例えば、ＮＳＩｎｄｉｃａｔｉｏｎ）を含む。
【００２９】
基地局３０３は、ＲＲＣメッセージを受信する前に、ＥＵＴＲＡ  ＮＲ  ＤＵＡＬ  Ｃｏｎｎｅｃｔｉｖｉｔｙ（ＥＮ−ＤＣ）の下でセカンダリノードとインターワーキングするマスターノードとして構成されてもよく、またはＲＲＣメッセージを受信する前に、インターワーキングすることなく単に単独のノードとして構成されてもよい。ＲＲＣメッセージは、ＲＲＣＭｅｓｓａｇｅｆｏｒＲｅｑｕｅｓｔ、ＲＲＣＣｏｎｎｅｃｔｉｏｎＲｅｑｕｅｓｔ、ＲＲＣＲｅｓｕｍｅＲｅｑｕｅｓｔ、またはＲＲＣＣｏｎｎｅｃｔｉｏｎＲｅｅｓｔａｂｌｉｓｈｍｅｎｔＲｅｑｕｅｓｔであってもよい。
【００３０】
いくつかの実施形態では、ＲＲＣメッセージは、非アクセス層（ＮＡＳ）処理におけるネットワークスライス制御に対応するネットワークスライス要求を含んでもよい。
【００３１】
図３に示すように、ステップ３６４において、ＲＲＣメッセージ３６２を介して送信された支援情報の受信に応答して、基地局３０３は、ＲＲＣ応答メッセージを介してネットワークスライス応答をＵＥ３０１に応答する。
【００３２】
この実施形態では、コアネットワーク（例えば、ＥＰＣ）は、ネットワークスライス要求を認識またはサポートしなくてもよい。例えば、コアネットワーク（例えば、ＥＰＣ）は、スライスＩＤまたはＮＳＩｄｉｃａｔｉｏｎを認識しない。別の例では、基地局３０３（例えば、ＬＴＥｅＮＢ）は、ネットワークスライス機能をサポートしない。さらに別の例では、基地局３０３（例えば、ＬＴＥｅＮＢ）は、ネットワークスライス要求を認識することができるが、要求されたネットワークスライスをサポートする構成を提供することはできない。さらに別の例では、基地局３０３（たとえば、ＬＴＥｅＮＢ）は、ネットワークスライスのための適切なノード（たとえば、ＮＲｇＮＢまたはｎｇ−ｅＮＢ）を見つけようと試みることができるが、成功しない。さらに別の例では、ＵＥ３０１は、ＬＴＥ−ＮＲインターワーキングで構成されないことがあり、その結果、ＬＴＥｅＮＢ３０３は、ＲＲＣメッセージ３６２内のネットワークスライス要求を、ネットワークスライス要求のためのセカンダリノードとして適切なＮＲｇＮＢに転送することができない。これらの状況では、ＲＲＣ応答メッセージは、追加情報なしでネットワークスライス要求を拒絶する。ネットワークスライス応答は、ネットワークライス要求がサポートされていないことを示すＲＲＣ応答メッセージに含まれる。一実施形態では、拒絶の原因（例えば、ネットワークスライスサポートなし）が、ＲＲＣ応答メッセージに含まれてもよい。
【００３３】
ＲＲＣ応答メッセージは、ＲＲＣＭｅｓｓａｇｅｆｏｒＲｅｊｅｃｔｉｏｎ、ＲＲＣＣｏｎｎｅｃｔｉｏｎＲｅｅｓｔａｂｌｉｓｈｍｅｎｔＲｅｊｅｃｔ、ＲＲＣＲｅｓｕｍｅＲｅｊｅｃｔ  ＲＲＣＣｏｎｎｅｃｔｉｏｎＲｅｊｅｃｔ、またはＲＲＣＣｏｎｎｅｃｔｉｏｎＲｅｌｅａｓｅであってもよい。
【００３４】
現在のマスターノードが対応するスライシングをサポートできないことを示すＲＲＣ応答メッセージ３６４を受信した後、ＵＥ３０１は、必要なネットワークスライスをサポートする別のノードへのハンドオーバを実行する。別の実施形態では、ＵＥ３０１は、ＬＴＥ−ＮＲタイトインターワーキングの下で、セカンダリノードを変更することなく、ＭｅＮＢ間ハンドオーバを実行する。いくつかの実施形態では、ハンドオーバの構成は、ＲＲＣ応答メッセージ３６４を介してＵＥ３０１に送信されてもよい。
【００３５】
いくつかの実施形態では、基地局３０３からＲＲＣ応答メッセージ（例えば、ＲＲＣＭｅｓｓａｇｅｆｏｒＲｅｊｅｃｔｉｏｎ）を受信した後、ＵＥ３０１は、基地局３０３とのＲＲＣ接続を解除し、セル（再）選択処理を実行して、ＵＥが要求するネットワークスライスをサポートする別の基地局にキャンプオンしてもよい。
【００３６】
図４は、本開示のさらに別の例示的な実施による、ハンドオーバ処理を用いたネットワークスライシングのための無線通信方法を示す図である。図４に示すように、無線通信システム４００は、ＵＥ４０１および基地局４０３を含む。一実施形態では、基地局４０３は、ＬＴＥｅＮＢである。ステップ４６２において、ＵＥ４０１は、ＲＲＣメッセージ（例えば、ＲＲＣＭｅｓｓａｇｅｆｏｒＲｅｑｕｅｓｔ）を介してネットワークスライス要求を基地局４０３（例えば、ＬＴＥｅＮＢ）に送信する。ネットワークスライス要求は、ＵＥ  ＩＤおよびネットワークスライス選択のための支援情報を含む。基地局４０３は、ＲＲＣメッセージを受信する前にＥＮ−ＤＣ下のセカンダリノードとインターワーキングするマスターノードとして構成されてもよく、またはＲＲＣメッセージを受信する前にインターワーキングすることなく単に単独のノードとして構成されてもよい。
【００３７】
基地局４０３が、ネットワークスライス要件またはネットワークスライスサービスタイプを示す支援情報を含むＲＲＣメッセージを受信すると、基地局４０３は、ステップ４６６で、Ｘｘ／Ｘｎインターフェースを介して他の基地局と制御信号を交換する。一実施形態では、制御信号は、支援情報を含む。別の実施形態では、制御信号は、ＵＥのＩＤを含む。さらに別の実施形態では、制御信号は、適切なノードＩＤ（例えば、適切なＮＲ  ｇＮＢ  ＩＤ、ＬＴＥ  ｅＮＢ  ＩＤ、ｎｇ−ｅＮＢ  ＩＤ）、適切なノードＩＤのリスト、適切なＮＲビームＩＤ、適切なＮＲビームＩＤのリスト、適切なノードの特定のプリアンブル、ターゲットＮＲ同期信号（ＳＳ）ブロック構成、ターゲットＮＲ  ＳＳブロック構成のリストなどのターゲットノード選択情報を含む。基地局４０３は、他の基地局の制御信号に応答して、他の基地局（例えば、基地局４０５）からのネットワークスライス要求をサポートする適切な基地局を選択する。
【００３８】
ステップ４６４において、基地局４０３は、ＵＥ４０１に対するネットワークスライス応答と、ネットワークスライス要求およびこれに対応するネットワークスライスサービスをサポートする適切な基地局（例えば、ＮＲ  ｇＮＢまたはｎｇ−ｅＮＢ）に関する追加情報を含むＲＲＣ応答メッセージ（例えば、ＲＲＣｍｅｓｓａｇｅｆｏｒＲｅｊｅｃｔｉｏｎ）を応答する。例えば、付加的情報は、ターゲットノード選択情報および相対リソース構成情報を含む。
【００３９】
ステップ４６８において、ＲＲＣ応答メッセージを受信すると、ＵＥ４０１は、要求されたネットワークスライスをサポートする選択されたノードへのハンドオーバを実行する。別の実施形態では、ＵＥ４０１は、セカンダリノードを変更することなく、ＭｅＮＢ間ハンドオーバを実行する。いくつかの実施形態では、ＵＥ４０１は、基地局（例えば、ＬＴＥ  ｅＮＢ）４０３へのＲＲＣ接続を解除し、選択されたターゲットノードへのセル（再）選択を実行する。
【００４０】
図５は、本開示のさらに別の例示的な実施による、モビリティ管理処理を用いたネットワークスライシングのための無線通信方法を示す図である。図５に示すように、無線通信システムは、ＵＥ５０１と、基地局５０３と、基地局５０５とを含む。一実施形態では、基地局５０３はＬＴＥｅＮＢであり、基地局５０５はＮＲｇＮＢである。ステップ５６２において、ＵＥ５０１は、ＲＲＣメッセージ（例えば、ＲＲＣＭｅｓｓａｇｅｆｏｒＲｅｑｕｅｓｔ）を介してネットワークスライス要求を基地局５０３に送信する。ネットワークスライス要求は、ＵＥのＩＤとネットワークスライス選択のための支援情報を含む。
【００４１】
この実施形態では、ＬＴＥｅＮＢ５０３およびＥＰＣは、ネットワークスライスを提供しないが、ＬＴＥｅＮＢ５０３は、依然として、ＵＥ５０１へのＲＲＣ接続を確立することができる。この場合、ステップ５６８に示すように、ＬＴＥｅＮＢ５０３は、ネットワークスライス要求がＬＴＥｅＮＢ５０３によってサポートされていないが、周囲のｇＮＢ５０５によってサポートされ得る場合に、モビリティ管理処理を実行する。この実施形態では、モビリティ管理処理は、セカンダリセルグループ（ＳＣＧ）関連処理である。ＳＣＧ関連処理では、ＵＥと、要求されたネットワークスライスをサポートする少なくとも１つの基地局（例えば、適切なＮＲｇＮＢ）との間でＲＲＣ接続が確立され、一方、ＵＥは、基地局間で十分に良好なリンク品質を示す。
【００４２】
一実施形態では、ＳＣＧ関連処理は、適切なセカンダリノード（例えば、ＮＲｇＮＢ）がＵＥとのＲＲＣ接続において追加されるＳＣＧ追加を含む。ＳＣＧ追加処理は、ＵＥのためのマルチ接続構成を含んでもよい。別の実施形態では、ＳＣＧ関連処理は、要求されるネットワークスライスを提供することができない現在のセカンダリノードが、要求されるネットワークスライスを提供する機能を用いて再構成され得る、ＳＣＧ変更を含む。さらに別の実施形態では、ＳＣＧ関連処理は、セカンダリノードハンドオーバが関与するＳＣＧ変更を含む。
【００４３】
いくつかの実施形態では、ＳＣＧ関連モビリティ管理処理は、ビームレベル制御も含む。例えば、要求されるネットワークスライスをサポートするＮＲビームが追加されるビーム追加、要求されるネットワークスライスをサポートするためにサービングＮＲビームが修正されるビーム修正、またはサービングＮＲビームが要求されるネットワークスライスをサポートする新しいビームに変更されるビーム変更を含む。
【００４４】
ＳＣＧ関連モビリティ処理は、ＵＥがセカンダリノードとのＲＲＣ接続を有さない場合、または、ＵＥが要求されるネットワークスライスサービスをサポートしないセカンダリノードとＲＲＣ接続を有する場合に、実行され得る。
【００４５】
ＳＣＧ関連処理では、制御信号は、Ｘｘ／Ｘｎインターフェースを介して、基地局５０３と基地局５０５との間で交換される。
【００４６】
ＳＣＧ関連処理が実行された後、ステップ５６４で、ＬＴＥｅＮＢ５０３は、ネットワークスライス応答を含むＲＲＣ応答メッセージ（例えば、ＲＲＣＭｅｓｓａｇｅｆｏｒＲｅｃｏｎｆｉｇｕｒａｔｉｏｎ、ＲＲＣＣｏｎｎｅｃｔｉｏｎＲｅｃｏｎｆｉｇｕｒａｔｉｏｎ、ＲＲＣＲｅｃｏｎｆｉｇｕｒａｔｉｏｎ）をＵＥ５０１に送信する。ネットワークスライス応答は、ＵＥとセカンダリノードＮＲｇＮＢ５０５との間のＲＲＣ接続が確立されたことを示す。ＲＲＣ構成メッセージは、ＵＥがターゲット基地局上で動作するための関連パラメータを含む。
【００４７】
ＵＥ５０１がＬＴＥｅＮＢ５０３からＲＲＣ応答メッセージを受信した後、ステップ５６６において、ＵＥ５０１は、ＲＲＣ確認メッセージをＬＴＥｅＮＢ５０３に送信する。一実施形態では、ＲＲＣ確認メッセージは、ＲＲＣＭｅｓｓａｇｅｆｏｒＣｏｍｐｌｅｔｅＲｅｃｏｎｆｉｇｕｒａｔｉｏｎ、ＲＲＣＣｏｎｎｅｃｔｉｏｎＲｅｃｏｎｆｉｇｕｒａｔｉｏｎＣｏｍｐｌｅａｔｅ、ＲＲＣＣｏｎｎｅｃｔｉｏｎＲｅｓｕｍｅＣｏｍｐｌｅｔｅ、またはＲＲＣＣｏｎｎｅｃｔｉｏｎＳｅｔｕｐＣｏｍｐｌｅｔｅである。
【００４８】
図６は、本開示のさらに別の例示的な実施形態による、ＲＲＣメッセージを介したネットワークスライシングのための無線通信方法を示す図である。図６に示すように、無線通信システム６００は、ＵＥ６０１および基地局６０３を含む。一実施形態では、基地局６０３は、ＮＲｇＮＢである。ステップ６６２において、ＵＥ６０１は、ＲＲＣメッセージ（例えば、ＲＲＣＣｏｎｎｅｃｔｉｏｎｆｏｒＲｅｑｕｅｓｔ）を介してＮＲｇＮＢ６０３にネットワークスライス要求を送信する。ネットワークスライス要求は、ＵＥ  ＩＤとネットワークスライス選択のための支援情報を含む。
【００４９】
図６に示すように、ステップ６６４において、ＮＲｇＮＢ６０３は、ＲＲＣ応答メッセージを介してネットワークスライス応答をＵＥ６０１に応答する。
【００５０】
この実施形態では、要求されるネットワークスライス要求はＮＲｇＮＢ６０３によってサポートされるが、ネットワークスライス要求はＮＲｇＮＢ６０３によって拒絶されるかもしれない。例えば、アンカーＮＲｇＮＢ６０３は、ＵＥ６０１によって要求された特定のネットワークスライスサービスをサポートできない。別の実施例では、ＬＴＥ−ＮＲタイトインターワーキングの下では、ＮＲｇＮＢ６０１は、特定のネットワークスライスサービスをサポートすることができないセカンダリノードであり得る。これらの場合、ステップ６６４において、ＮＲｇＮＢ６０３は、追加情報なしにネットワークスライス要求を拒絶する場合がある。いくつかの実施形態では、拒絶の原因（例えば、ネットワークスライスサポートなし）は、ＲＲＣ応答メッセージに含まれてもよい。
【００５１】
いくつかの実施形態では、ＲＲＣ応答メッセージは、ネットワークスライス選択の支援のための追加情報を含んでもよい。例えば、付加的情報は、適切なノードＩＤ（例えば、ＮＲｇＮＢ／セルＩＤ、ＬＴＥｅＮＢ／セルＩＤ、ｎｇ−ｅＮＢ／セルＩＤ、ｅＬＴＥｅＮＢ／セルＩＤ、ｅＬＴＥｅＮＢ／セルＩＤ、ＬＴＥｅＮＢ／セルＩＤ、ｎｇ−ｅＮＢ／セルＩＤ、ｅＬＴＥｅＮＢ／セルＩＤ）、適切なノードＩＤのリスト（例えば、ＮＲ  ｇＮＢ／セルＩＤ、ＬＴＥｅＮＢ／セルＩＤ、ｎｇ−ｅＮＢ／セルＩＤ）、適切なｇＮＢビームＩＤ、適切なｇＮＢビームＩＤのリスト、適切なノードの特定のプリアンブル（例えば、ＮＲ  ｇＮＢ／セル、ＬＴＥｅＮＢ／セルおよびｅＬＴＥｅＮＢ／セル）、ターゲットＮＲ同期信号（ＳＳ）ブロック構成、ターゲットＮＲ  ＳＳブロック構成のリストを含む。いくつかの実施形態では、基地局６０３は、追加情報を取得するために、Ｘｘ／Ｘｎ通信インターフェースを介して他の基地局と制御信号を交換する。ＵＥ６０１は、追加情報を利用して、ネットワークスライス要求をサポートする適切な基地局を識別してもよい。
【００５２】
いくつかの実施形態では、ＵＥ６０１は、ＲＲＣ応答メッセージを受信した後に、別のノード（例えば、ネットワークスライス要求において示されるネットワークスライスサービスをサポートする適切なＮＲｇＮＢ）へのハンドオーバを実行する。いくつかの実施形態では、ＵＥ６０１は、ＲＲＣ応答を受信した後に、上述したＳＣＧ関連処理で実行してもよい。いくつかの他の実施形態では、ＵＥ６０１は、ＮＲｇＮＢ６０３とのＲＲＣ接続を解除し、セル（再）選択処理を実行して、ＲＲＣ応答メッセージを受信した後に、ＵＥが要求するネットワークスライスをサポートするターゲットノード上にキャンプしてもよい。
【００５３】
図７は、本開示のさらに別の例示的な実施による、要求されたネットワークスライスサービスがサポートされる場合の無線通信方法またはネットワークスライシングを示す図である。図７に示すように、無線通信システムは、ＵＥ７０１および基地局７０３を含む。一実施形態では、基地局７０３は、ＮＲｇＮＢである。ＵＥ７０１は、ＲＲＣメッセージ（例えば、ＲＲＣＭｅｓｓａｇｅｆｏｒＲｅｑｕｅｓｔ）を介してＮＲｇＮＢ７０３にネットワークスライス要求を送信する。ネットワークスライス要求は、ＵＥのＩＤとネットワークスライス選択のための支援情報を含む。
【００５４】
ステップ７６４において、ＮＲｇＮＢ７０３は、ＲＲＣ応答メッセージをＵＥ７０１に応答する。この実施形態では、ＮＲｇＮＢ７０３は、要求されたネットワークスライスサービスをサポートし、ＲＲＣ応答メッセージは、ＲＲＣＭｅｓｓａｇｅｆｏｒＣｏｎｎｅｃｔｉｏｎＳｅｔｕｐ、ＲＲＣＭｅｓｓａｇｅｆｏｒＲｅｃｏｎｆｉｇｕｒａｔｉｏｎ、ＲＣＣｏｎｎｅｃｔｉｏｎＳｅｔｕｐ、またはＲＲＣＣｏｎｎｅｃｔｉｏｎＲｅｃｏｎｆｉｇｕｒａｔｉｏｎである。
【００５５】
ＲＲＣ応答メッセージを受信すると、ステップ７６６において、ＵＥ７０１は、ＮＲｇＮＢ  ７０３とのＲＲＣ接続を確立または再構成する。
ステップ７６８において、ＵＥは、ＲＲＣ完了メッセージ（例えば、ＲＲＣＭｅｓｓａｇｅｆｏｒＣｏｍｐｌｅｔｅＣｏｎｎｅｃｔｉｏｎ、ＲＲＣＣｏｎｎｅｃｔｉｏｎＣｏｍｐｌｅｔｅ、またはＲＲＣＲｅｃｏｎｆｉｇｕｒａｔｉｏｎＣｏｍｐｌｅｔｅ）を送信して、ＵＥ７０１とＮＲｇＮＢ７０３との間の要求されたネットワークサポートの通信確認を示す。
【００５６】
図８は、本開示のさらに別の例示的な実施形態による、システム情報を介したネットワークスライスのための無線通信方法を示す図である。図８に示すように、無線通信システム８００は、ＵＥ８０１および基地局８０３を含む。一実施形態では、基地局８０３は、ＮＲｇＮＢである。ステップ８６２において、ＮＲｇＮＢ８０３は、システム情報（ＳＩ）をＵＥ８０１にブロードキャストする。一実施形態では、ＳＩは最小ＳＩのみを含む。最小ＳＩは、ネットワークスライス選択のための支援情報を含む。ネットワークスライス選択のための支援情報は、スライスＩＤ、ＮｅＳ−ＩＤ、Ｓ−ＮＳＳＡＩ、ＮＳＩｎｄｉｃａｔｉｏｎ、またはスライスビットマップを含み、ＮＲｇＮＢ８０３によってサポートされるネットワークスライスを示す。
【００５７】
支援情報（例えば、Ｓｌｉｃｅ  ＩＤ）がブロードキャストされる場合、ＮＲｇＮＢ８０３は、サポートされるネットワークスライスのＳｌｉｃｅ  ＩＤをＵＥのグループ（ＵＥ８０１を含む）に通知する。ＳＩが受信された後、ステップ８６４において、ＵＥ８０１は、要求されるべきネットワークスライスが、ＮＲ  ｇＮＢ  ８０３によってサポートされることができるかどうかを、支援情報（例えば、サポート可能なスライスＩＤ）に従って決定する。
【００５８】
支援情報（例えば、ＮＳＩｎｄｉｃａｔｉｏｎ）がブロードキャストされる場合、ＮＲ  ｇＮＢ  ８０３のネットワークスライス機能が明らかにされ、ＵＥ８０１は、ＮＲｇＮＢ８０３によってサポートされる正確なネットワークスライスサービスに関する詳細情報を要求するために、専用の要求をＮＲｇＮＢ８０３に送信してもよい。
【００５９】
図９は、本開示のさらに別の例示的な実施形態による、システム情報要求を介したネットワークスライスのための無線通信方法を示す図である。図９に示すように、無線通信システム９００は、ＵＥ９０１および基地局９０３を含む。一実施形態では、基地局９０３は、ＮＲ  ｇＮＢである。ステップ９６２において、ＵＥ９０１は、ネットワークスライス要求を含むシステム情報要求（ＳＩ  Ｒｅｑｕｅｓｔ）をＮＲｇＮＢ９０３に送信する。ネットワークスライス要求は、ＵＥのＩＤとネットワークスライス選択のための支援情報を含む。この実施形態では、システム情報要求は、他のＳＩ（例えば、オンデマンドＳＩ）および支援情報（例えば、ＮＳＩｎｄｉｃａｔｉｏｎ）を含む。一実施形態では、ＳＩ要求は、ＮＲｇＮＢ９０３のネットワークスライスサポータビリティの詳細に関するより多くのシステム情報を取得するために使用される。
【００６０】
ステップ９６４において、ＮＲ  ｇＮＢ  ９０３は、ネットワークスライス選択のための支援情報を含む他のＳＩでＵＥ９０１に応答する。例えば、支援情報は、ネットワークスライス（例えば、Ｓｌｉｃｅ  ＩＤ、Ｓ−ＮＳＳＡＩ）のサポートされるアイデンティティ、サポートされるネットワークスライスタイプ（例えば、ＮｅＳ−ＩＤ、スライスビットマップ）、またはサポートされるネットワークスライス要件（例えば、ＮＳＩｎｄｉｃａｔｉｏｎ）を含む。
【００６１】
ステップ９６６において、ＵＥ９０１は、要求されるべきネットワークスライスがＮＲｇＮＢ９０３によってサポートされることができるかどうかを決定する。
【００６２】
いくつかの実施形態では、ステップ９６４において、ＮＲｇＮＢ９０３は、また、他の基地局のネットワークスライス機能、または他の基地局によってサポートされるネットワークスライスをＵＥ９０１に応答し、その結果、ＵＥ９０１は、ネットワークスライス要求が他の基地局によってサポートされるかどうかを判定する。ネットワークスライス要求をサポートする基地局が存在する場合、ＵＥ９０１は、ネットワークスライス要求をサポートする基地局と接続するためにモビリティ管理処理を実行する。
【００６３】
いくつかの実施形態では、ＵＥによって要求されたネットワークスライスが基地局によってサポートされていない場合、ＵＥは、ネットワークスライス要求をサポートする他の基地局と接続する。そのような場合、モビリティ管理処理は、ＵＥ、アンカーノード、またはインターワーキングセカンダリノードのいずれかによってトリガされる。モビリティ管理処理は、Ｘｘ／Ｘｎインターフェースを介した制御信号交換を含んでもよい。
【００６４】
いくつかの実施形態では、ＵＥは、セカンダリノードを変更することなく、サービングマスターノードから他のマスターノードへのハンドオーバを実行してもよい。ＵＥは、ネットワークスライスをサポートするいくつかの基地局（例えば、ＮＲｇＮＢ、ｎｇ−ｅＮＢ）上で測定を実行してもよい。一実施形態では、ネットワークスライスをサポートする基地局は、サービング基地局によって提供されてもよい。別の実施形態では、ネットワークスライスをサポートする基地局は、他のセカンダリ基地局によって提供される。いくつかの他の実施形態では、ネットワークスライスをサポートする基地局は、事前に構成される。例えば、ネットワークスライスをサポートする基地局は、要求されたネットワークスライスをサポートする周波数帯域に従って、事前に構成される。
【００６５】
一実施形態では、ＵＥは、測定結果に従ってターゲット基地局を選択し、決定をサービング基地局に報告する。いくつかの実施形態では、ＵＥは、測定結果をサービング基地局に報告し、サービング基地局は、接続されるべきターゲット基地局を決定する。いくつかの実施形態では、制御信号交換は、ＮＲｇＮＢ、ターゲットマスターノード、および（必要であれば）ターゲットセカンダリノードの間で、Ｘｘ／Ｘｎインターフェースを介して実行される。その後、ＵＥとＮＲｇＮＢとの間、またはＵＥとターゲットノードとの間で、対応するＲＲＣメッセージ交換が実行される。
【００６６】
いくつかの実施形態では、ＵＥは、要求されたネットワークスライスサービスをサポートするセカンダリノードを再選択することによって、セカンダリノード変更を実行してもよい。セカンダリノードは、測定結果に基づいて、ＵＥによって、またはサービング基地局によって再選択される。
【００６７】
いくつかの実施形態では、ＵＥは、要求されたネットワークスライスサービスをサポートする新しいセカンダリノードを追加することによって、セカンダリノード追加を実行してもよい。追加されるセカンダリノードは、測定結果に基づいて、ＵＥ、サービング基地局、または既存のセカンダリノードによって選択される。
【００６８】
図１０は、本開示の例示的な実施による、ネットワークスライスに応答するセル（再）選択処理のフローチャートを示す。この実施形態では、ＵＥは、要求されるネットワークスライスサービスをサポートすることができる適切なＲＡＴを有する基地局をキャンプまたは（再）選択することができる。図１０に示すように、ステップ１０６２において、選択された地上波公共移動通信ネットワーク（ＰＬＭＮ）および同等物のＰＬＭＮが、ＵＥの非アクセス階層（ＮＡＳ）層によって識別される。ステップ１０６４において、要求されるネットワークスライスサービスがＮＡＳまたはＡＳ層によって識別される。例えば、要求されるネットワークスライスサービスは、スライスＩＤ、ＮｅＳ−ＩＤ、Ｓ−ＮＳＳＡＩ、ＮＳＩｎｄｉｃａｔｉｏｎ、またはスライスビットマップに従って識別される。
【００６９】
ステップ１０６６において、要求されたネットワークスライスサービスをサポートするＲＡＴまたは周波数帯域が、ＵＥによってサーチされる。一実施形態では、ＵＥのＮＡＳは、ネットワークスライスをサポートするＲＡＴに関する情報、またはネットワークスライスをサポートする周波数帯域に関する情報、または特定のネットワークスライスサービスに関する情報で事前に構成される。その後、ＮＡＳの決定に基づいて、ＵＥは、選択されたＰＬＭＮまたは同等のＰＬＭＮからのネットワークスライスをサポートする対応するＲＡＴまたは周波数帯域の信号を、それに応じて監視および測定する。
【００７０】
いくつかの他の実施形態では、ＵＥのＮＡＳは、スライシング情報をＡＳに転送し、ＡＳは、ＡＳの決定に基づいて選択されたＰＬＭＮまたは同等のＰＬＭＮからのネットワークスライスをサポートする対応するＲＡＴまたは周波数帯域の信号をどのように監視および測定するかを決定する。
【００７１】
いくつかの他の実施形態では、ＵＥには、ネットワークスライスをサポートすることができない禁止セルのリストが（事前に）設定されていてもよい。禁止セルのこのリストは、事前に設定されるか、または、ＵＥがサービング基地局からブロードキャストされたネットワークスライス要求に関する情報を受信したときに更新されてもよい。キャンプされるべき適切なセルは、ＵＥがＰＬＭＮを決定し、測定を実行した後に、禁止セルのリストに基づいて識別することができる。
【００７２】
図１１は、本開示の様々な態様による、無線通信のためのデバイスのブロック図を示す。図１１に示すように、装置１１００は、トランシーバ１１２０、プロセッサ１１２６、メモリ１１２８、１つまたは複数の表示コンポーネント１１３４、および少なくとも１つのアンテナ１１３６を備えてもよい。装置１１００は、また、ＲＦスペクトル帯域モジュール、基地局通信モジュール、ネットワーク通信モジュール、およびシステム通信管理モジュール、入力／出力信号（Ｉ／Ｏ）ポート、Ｉ／Ｏコンポーネント、および電源（図１１に明示的には示されていない）を備えてもよい。これらの構成要素のそれぞれは、直接、または１つまたは複数のバス１１２６を介して間接的に、互いに通信してもよい。
【００７３】
送信機１１２２および受信機１１２４を有するトランシーバ１１２０は、時間および／または周波数リソース分割情報を送信および／または受信するように構成されてもよい。いくつかの実装形態では、トランシーバ１１２０は、使用可能、不能、および柔軟に使用可能なサブフレームおよびスロットのフォーマットを含むが、これらに限定されない様々なタイプのサブフレームおよびスロットで送信するように構成されてもよい。トランシーバ１１２０は、データを受信し、チャネルをコントロールするように構成されてもよい。
【００７４】
装置１１００は、様々なコンピュータ可読媒体を含んでもよい。コンピュータ可読媒体は、装置１３００によってアクセスすることができ、揮発性および不揮発性媒体、取り外し可能および取り外し不可能のメディア両方を含む、任意の入手可能な媒体であってもよい。限定ではなく例として、コンピュータ可読媒体は、コンピュータ記憶媒体および通信媒体を含んでもよい。コンピュータ記憶媒体は、コンピュータ可読命令、データ構造、プログラムモジュール、または他のデータなどの情報を記憶するための任意の方法または技術で実行される揮発性および不揮発性、取り外し可能および取り外し不可能な媒体の両方を含む。
【００７５】
コンピュータ記憶媒体は、ＲＡＭ、ＲＯＭ、ＥＥＰＲＯＭ（登録商標）、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は、典型的には、コンピュータ可読命令、データ構造、プログラムモジュール、または他のデータを、搬送波または他のトランスポート機構などの変調データ信号で具現化し、任意の情報伝送媒体を含む。「変調されたデータ信号」という用語は、その信号に含まれる情報をコード化するように、１つまたは複数の特性が設定または変更された信号を意味する。限定ではなく例として、通信媒体には、有線ネットワークまたは直接有線接続などの有線媒体と、音響、ＲＦ、赤外線、その他の無線媒体等の無線媒体を含む。上記のいずれかの組合せも、コンピュータ可読媒体の範囲内に含まれるべきである。
【００７６】
メモリ１１２８は、揮発性および／または不揮発性メモリの形態のコンピュータ記憶媒体を含んでもよい。メモリ１１２８は、取り外し可能であっても、取り外し不能であっても、またはそれらの組み合わせであってもよい。例示的なメモリは、ソリッドステートメモリ、ハードドライブ、光ディスクドライブなどを含む。図１１に示すように、メモリ１１２８は、実行されると、プロセッサ１１２６に、例えば、図１から図１０を参照して本明細書で説明した様々な機能を実行させるように構成されたコンピュータ可読コンピュータ実行可能命令１１３２（例えば、ソフトウェアコード）を格納してもよい。あるいは、命令１１３２は、プロセッサ１１２６によって直接実行されなくてもよく、装置１１００に（例えば、コンパイルされ、実行されるときに）本明細書で説明した様々な機能を実行させるように構成されてもよい。
【００７７】
プロセッサ１１２６は、インテリジェントハードウェアデバイス、例えば、中央処理装置（ＣＰＵ）、マイクロコントローラ、ＡＳＩＣなどを含んでもよい。プロセッサ１１２６は、メモリを含んでもよい。プロセッサ１１２６は、メモリ１１２８から受信したデータ１１３０および命令１１３２、ならびにトランシーバ１１２０、ベースバンド通信モジュール、および／またはネットワーク通信モジュールを介した情報を処理してもよい。プロセッサ１１２６はまた、アンテナ１１３６を介した送信のためにトランシーバ１１２０に送信されるべき情報、コアネットワークへの送信のためにネットワーク通信モジュールに送信すべき情報を処理してもよい。
【００７８】
１つまたは複数の表示コンポーネント１１３４は、人または他のデバイスにデータ表示を提示する。例示的な１つまたは複数の表示コンポーネント１１３４は、表示デバイス、スピーカー、印刷コンポーネント、振動コンポーネントなどを含む。
【００７９】
上記の説明から、本開示に記載された概念を実施するために、これらの概念の範囲から逸脱することなく、様々な技法を使用することができることが明らかである。さらに、これらの概念は、特定の実施形態を特に参照して説明されてきたが、当業者は、これらの概念の範囲から逸脱することなく、形態および詳細において変更を行い得ることを認識するであろう。したがって、説明された実施形態は、すべての点において、例示的なものであり、限定的なものではないと考えられるべきである。また、本開示は、上述の特定の実施形態に限定されず、本開示の範囲から逸脱することなく、多くの再構成、修正、および置換が可能であることを理解されたい。
【符号の説明】
【００８０】
１０１、１０２、２０１、３０１、４０１、５０１、６０１、７０１、８０１、９０１  ユーザ機器（ＵＥ）
２００、３００、４００、６００、８００、９００  無線通信システム
２０３、３０３、４０３、４０５、５０３、５０５、６０３、７０３、８０３、９０３  基地局
１１００  装置
１１２０  トランシーバ
１１２２  送信機
１１２４  受信機
１１２６  プロセッサ
１１２８  メモリ
１１３０  データ
１１３２  （コンピュータ可読コンピュータ実行可能）命令
１１３４  表示コンポーネント
１１３６  アンテナ
【図１】
2020511863.tif 000004
【図２】
2020511863.tif 000005
【図３】
2020511863.tif 000006
【図４】
2020511863.tif 000007
【図５】
2020511863.tif 000008
【図６】
2020511863.tif 000009
【図７】
2020511863.tif 000010
【図８】
2020511863.tif 000011
【図９】
2020511863.tif 000012
【図１０】
2020511863.tif 000013
【図１１】
2020511863.tif 000014
【国際調査報告】
2020511863.tif 000015